(57)【要約】【課題】（イ）傘を閉じた状態で外面から鍵を掛けることが可能で、固定物に連結することも可能な装置に関するものである。（ロ）自分の好きなダイヤルキーの数字を簡単に組み込める様にするものである。【解決手段】（イ）ダイヤルキーに着脱可能な両端リング状のコイル式ワイヤーを用いてダイヤルキーを固定物体に連結し、傘が第三者に勝手に開けられない様に傘の骨の上端付近で、バンド式ダイヤルキーのバンドを適度に締めてダイヤルを回してロックすることにより、傘の盗難を防ぐ。（ロ）ダイヤルキーのリングの回転を可能にする軸は、円錐の先端から中程までを切除した様なやや後ろ広がりで、鍵本体に挿入後木槌や金槌で叩くと固定される構造で、挿入する軸の後端に凸状のガイドを付けておき、本体にはガイドがずれないように凹状の切れ込みを入れて、鍵の使用者が各自でダイヤルキーを組む場合、軸が回転せず、正確な角度で鍵を組める様にする。【選択図】図１
2007162207.tif 000002
【特許請求の範囲】
【請求項１】
ダイヤルキーに着脱可能な両端リング状のコイル式ワイヤーを用いてダイヤルキーを固定物体に連結し、傘が第三者に勝手に開けられない様に傘の骨の上端付近で、バンド式ダイヤルキーのバンドを適度に締めてダイヤルを回してロックすることにより、傘の盗難を防ぐシステム。
【請求項２】
ダイヤルキー本体の傘などへの接触面を湾曲させ、接触面に凹凸を付けることにより、鍵が抜けにくくする構造。
【請求項３】
ダイヤルキーのダイヤルの溝でバンドが任意の位置で止まる様に、バンドの上端がダイヤルの間隔と同じ間隔で連続して凹凸を繰り返す構造。
【請求項４】
バンド式ダイヤルキーの軸には、バンドが通る為の溝が両端まで作られており、バンドが貫通する構造。
【請求項５】
ダイヤルキーのリングの回転を可能にする軸は、円錐の先端から中程までを切除した様なやや後ろ広がりで、鍵本体に挿入後、木槌や金槌で叩くと固定される構造で、挿入する軸の後端に凸状のガイドを付けておき、本体にはガイドがずれないように凹状の切れ込みを入れて、鍵の使用者が各自でダイヤルキー組む場合、軸が回転せず、正確な角度で鍵を組める様にする構造。
【発明の詳細な説明】
【技術分野】
【０００１】  （イ）本考案は、コイルワイヤーで固定物体にダイヤルキーを連結し、傘等の物体をダイヤルキーに密着させて、抜けない様にしっかり縛り、鍵を掛け保管するための装置に関するものである。
（ロ）ダイヤルキーの開錠のためのリングの合わせ番号に使用者本人が覚えやすい数字を任意に選び、自分で組み立て可能にすることにより、開錠のための合わせ番号の数字を忘れにくくするものである。
【背景技術】
【０００２】  従来、傘の開閉の制御は傘付属の鍵で行う事が多く、傘に付属させるが故に傘が高価なものとなってしまい普及率が極めて低かった。また、盗難防止の為には傘付属のリングなどを固定物体に鎖状の鍵などでつなぐことが行われていたが、鍵の持ち運びが不便であった。外付けの鍵で、傘の開閉を制限した上に固定物体に連結も可能で、持ち運びが便利で、安価な物は存在しなかった。更に製造元に依頼せずに、好きなダイヤルキーの数字を使用者各自で簡単に組み込める安価な鍵は存在しなかった。
【発明の開示】
【発明が解決しようとする課題】
【０００３】  （イ）傘を第三者が勝手に開けられない様にする。
（ロ）鍵を固定物体に連結可能にし、傘や傘以外の棒状物体に鍵を掛け盗難防止が出来る様にする。
（ハ）鍵を掛けた棒状物体から鍵が抜けにくくする。
（ニ）傘に付属の鍵ではなく、汎用性を高め、非常に安価な費用での製作を可能にする。
（ホ）傘を開いての使用時や自宅などでの未使用時には傘の柄の部分に固定出来るようにし、荷物にならず、紛失しにくくする。
（ヘ）安価で自分の好きなダイヤルキーの数字を簡単に組み込める様に設計する。
【課題を解決するための手段】
【０００４】  （イ）ダイヤルキーに着脱可能な両端リング状のコイル式ワイヤーを用いてダイヤルキーを固定物体に連結し、傘が第三者に勝手に開けられない様に傘の骨の上端付近で、バンド式ダイヤルキーのバンドを適度に締めてダイヤルを回してロックすることにより、傘の盗難を防ぐ。
（ロ）ダイヤルキー本体の傘などの棒状物体への接触面を湾曲させることにより、鍵が抜けにくくなる様にする。また、鍵との接触面が平坦な物体用には接触面が平坦なものを製作する。
（ハ）鍵を掛けた物体から、鍵が容易に抜けない様にするため、ダイヤルキー本体の接触面に凹凸を付ける。また、ゴムなどの滑りにくい材質を付ける。
（ニ）ダイヤルキーのダイヤルの溝でバンドが任意の位置で止まる様に、バンドの上端がダイヤルの間隔と同じ間隔で連続して凹凸を繰り返す構造にする。
（ホ）自分の好きなダイヤルキーの数字を組みたい使用者の為に、バンド付きの本体とダイヤルのリングとリングを本体に組み込み回転を可能にする軸を個別に供給出来る用にする。組み込む人件費や機械の設備投資が軽減され、安価で供給できる。軸は円錐の先端から中程までを切除した様なやや後ろ広がりでバンドが通る為の溝が有り、軸を本体に差し込み木槌や金槌で叩き固定する時に軸が回転しない様に、軸の叩く面の近くの端に凸状のガイドを付けておき、本体にはガイドがずれないように凹状の切れ込みを入れておく。使用者が各自で組む場合、鍵本体にダイヤルのリングをはめ、軸を横から差し込みガイドを切れ込みに合わせて叩き込むだけである。
【発明の効果】
【０００５】  鍵が安価で作製可能なため、鍵が普及し、傘の盗難が減り、盗まれ難くなるため高価な傘を購入する人が増える可能性がある。
【発明を実施するための最良の形態】
【０００６】  （イ）鍵本体に付けるバンドにはある程度の強度が必要である。非金属で有る程度強度があり、形状変化に優れているものがよい。金属使用の場合、非金属によるコーティングが必要となる場合があり、使用によりコーティングが剥がれてくる可能性がある。
（ロ）バンドの端の凹凸部分にある程度丸みを持たせ、傘の生地などを傷めないようにする。
（ハ）傘専用には鍵本体の傘との接着面の湾曲を強くした方がよい。
（ニ）鍵の傘などと接触する面にはゴムなどの滑りにくい材質の物を使用し、表面に凹凸を付けるか表面を粗面にすることで、鍵を掛けたものから鍵が抜けにくくなる。
【図面の簡単な説明】
【０００７】
【図１】鍵の上斜正面図。付属のコイル式ワイヤーで鍵を固定物に連結している図。
【図２】上面図。
【図３】右側面図。付属のコイル式ワイヤーは省略。
【図４】左側面図。付属のコイル式ワイヤーとワイヤー取り付け用半リングは省略。
【図５】正面図。
【図６】付属のコイル式ワイヤーで鍵を固定物に連結後、傘に鍵を掛けた状態を示した上斜正面図。
【図７】鍵本体の分解図。上の矢印から順に組み上げて行くと完成する。
【図８】鍵本体の接触面を平坦にした物の上面図。
【図１】
2007162207.tif 000003
【図２】
2007162207.tif 000004
【図３】
2007162207.tif 000005
【図４】
2007162207.tif 000006
【図５】
2007162207.tif 000007
【図６】
2007162207.tif 000008
【図７】
2007162207.tif 000009
【図８】
2007162207.tif 000010
【手続補正書】
【提出日】平成16年8月3日(2004.8.3)
【手続補正１】
【補正対象書類名】特許請求の範囲
【補正対象項目名】請求項３
【補正方法】変更
【補正の内容】
【請求項３】
ダイヤルキーのダイヤル内側の溝のない部分でバンドが任意の位置で止まる様に、バンドの上端がダイヤルの幅とダイヤル間の間隔と同じ間隔で連続して凹凸を繰り返す構造。
【手続補正２】
【補正対象書類名】明細書
【補正対象項目名】課題を解決するための手段（ニ）
【補正方法】変更
【補正の内容】
【課題を解決するための手段（ニ）】
ダイヤルキーのダイヤル内側の溝のない部分でバンドが任意の位置で止まる様に、バンドの上端がダイヤルの幅とダイヤル間の間隔と同じ間隔で連続して凹凸を繰り返す構造にする。
【手続補正３】
【補正対象書類名】明細書
【補正対象項目名】発明を実施するための最良の形態（イ）
【補正方法】変更
【補正の内容】
【発明を実施するための最良の形態（イ）】
鍵本体に付けるバンドにはある程度の強度が必要である。非金属である程度強度があり、形状変化に優れているものがよい。金属を利用する場合には、形状変化に優れていて錆びなどの変質が生じにくいものを選択する必要がある。錆びる可能性のある金属を使用する場合、接触する物体に悪影響を及ぼさなくするために、非金属によるコーティングの必要性が考えられる。
【手続補正４】
【補正対象書類名】図面
【補正対象項目名】図３
【補正方法】変更
【補正の内容】
【図３】
2007162207.tif 000011
【手続補正５】
【補正対象書類名】図面
【補正対象項目名】図４
【補正方法】変更
【補正の内容】
【図４】
2007162207.tif 000012
【手続補正６】
【補正対象書類名】図面
【補正対象項目名】図７
【補正方法】変更
【補正の内容】
【図７】
2007162207.tif 000013
【手続補正書】
【提出日】平成16年10月7日(2004.10.7)
【手続補正１】
【補正対象書類名】手続補正書
【補正対象項目名】手続補正２
【補正方法】変更
【補正の内容】
【手続補正２】
【補正対象書類名】明細書
【補正対象項目名】０００４
【補正方法】変更
【補正の内容】
【０００４】
（イ）ダイヤルキーに着脱可能な両端リング状のコイル式ワイヤーを用いてダイヤルキーを固定物体に連結し、傘が第三者に勝手に開けられない様に傘の骨の上端付近で、バンド式ダイヤルキーのバンドを適度に締めてダイヤルを回してロックすることにより、傘の盗難を防ぐ。
（ロ）ダイヤルキー本体の傘などの棒状物体への接触面を湾曲させることにより、鍵が抜けにくくなる様にする。また、鍵との接触面が平坦な物体用には接触面が平坦なものを作製する。
（ハ）鍵を掛けた物体から、鍵が容易に抜けない様にするため、ダイヤルキー本体の接触面に凹凸をつける。また、ゴムなどの滑りにくい材質をつける。
（ニ）ダイヤルキーのダイヤル内側の溝のない部分でバンドが任意の位置で止まる様に、バンドの上端がダイヤルの幅とダイヤル間の間隔と同じ間隔で連続して凹凸を繰り返す構造にする。
（ホ）自分の好きなダイヤルキーの数字を組みたい使用者の為に、バンド付きの本体とダイヤルのリングとリングを本体に組み込み回転を可能にする軸を個別に供給出来る様にする。組み込む人件費や機械の設備投資が軽減され、安価で供給できる。軸は円錐の先端から中程までを切除した様なやや後ろ広がりでバンドが通る為の溝が有り、軸を本体に差し込み木槌や金槌で叩き固定する時に軸が回転しない様に、軸の叩く面の近くの端に凸状のガイドを付けておき、本体にはガイドがずれないように凹状の切れ込みを入れておく。使用者が各自で組む場合、鍵本体にダイヤルのリングをはめ、軸を横から差し込みガイドを切れ込みに合わせて叩き込むだけである。
【手続補正２】
【補正対象書類名】手続補正書
【補正対象項目名】手続補正３
【補正方法】変更
【補正の内容】
【手続補正３】
【補正対象書類名】明細書
【補正対象項目名】０００６
【補正方法】変更
【補正の内容】
【０００６】
（イ）鍵本体に付けるバンドにはある程度の強度が必要である。非金属である程度強度があり、形状変化に優れているものがよい。金属を利用する場合には、形状変化に優れていて錆びなどの変質が生じにくいものを選択する必要がある。錆びる可能性のある金属を使用する場合、接触する物体に悪影響を及ぼさなくするために、非金属によるコーティングの必要性が考えられる。
（ロ）バンドの端の凹凸部分にある程度丸みを持たせ、傘の生地などを傷めないようにする。
（ハ）傘専用には鍵本体の傘との接着面の湾曲を強くした方がよい。
（ニ）鍵の傘などと接触する面にはゴムなどの滑りにくい材質の物を使用し、表面に凹凸を付けるか表面を粗面にすることで、鍵を掛けたものから鍵が抜けにくくなる。